(57)【特許請求の範囲】
【請求項１】
取付面に設けられた取付穴に埋め込まれる埋め込み部と、
上記取付面に当接し、取付バネとの間に上記取付面を挟み込むツバ部と、
上記埋め込み部の周囲のバネ設置面に取付バネをスライドして取付けるための取付片と、
上記取付片に取付けられた取付バネの抜けを係止する本体係止部とを有する本体部と、
上記取付片によって上記本体部に取付けられるバネ固定部と、
上記本体係止部と当接してスライドを係止する係止端を有するとともに、弾性変形により上記本体係止部による係止を解除する舌状のバネ係止部とを有する取付バネと
を備えることを特徴とする埋め込み型機器。
【請求項２】
上記バネ係止部は、上記本体係止部と嵌合する形状の係止端を有することを特徴とする請求項１記載の埋め込み型機器。
【請求項３】
取付面に設けられた取付穴に埋め込まれる埋め込み部と、
上記取付面に当接し、取付バネとの間に上記取付面を挟み込むツバ部と、
上記埋め込み部の周囲に設けられた平面であるバネ設置面と、
上記バネ設置面に取付バネを取付けるガイド溝を形成した１対の取付片と、
上記埋め込み部の周囲に所定の高さを有する凸状または所定の深さを有する凹状の本体係止部とを有する取付バネと、
１対の上記取付片により形成されたガイド溝によって上記本体部に取付けられるバネ固定部と、
上記本体係止部と当接する係止端を有し、上記１対の取付片の間の幅よりも細いバネ係止部とを有する取付バネと
を備えることを特徴とする埋め込み型機器。
【請求項４】
上記バネ係止部は、上記本体係止部と嵌合する形状の係止端を有することを特徴とする請求項３記載の埋め込み型機器。
【請求項５】
上記バネ係止部は、上記本体係止部の高さまたは深さを超えて反らすことが可能な弾性限界を有することを特徴とする請求項３記載の埋め込み型機器。
【請求項６】
本体部と上記本体部に取付けられる取付バネとを備える埋め込み型機器において、
上記取付バネは、
バネ固定部と、上記バネ固定部との間に切り欠きを入れて設けられ、弾性変形する舌状のバネ係止部とを有するバネ取付部と、
略Ｖ字状に折り曲げられるとともに上記バネ取付部より狭い幅に形成される折り曲げ部と、
上記折り曲げ部による折り曲げによってバネ性を有するバネ部と
を備え、
上記本体部は、
取付面に設けられた取付穴に埋め込まれ、開口部を有する埋め込み部と、
上記埋め込み部の開口部端に配置されるとともに、上記埋め込み部の径より長い径で形成され上記取付面に当接するツバ部と、
上記埋め込み部の周囲に設けられるとともに、上記バネ取付部をスライドして上記折り曲げ部が上記ツバ部側近傍の位置となるように取り付けるための取付片と、
上記バネ係止部を係止して上記取付片に取り付けられた上記バネ取付部を固定するとともに、上記バネ係止部を弾性変形した場合に上記取付片に取付けられた上記バネ取付部の固定を解除できる本体係止部と
を備えることを特徴とする埋め込み型機器。
【発明の詳細な説明】
【技術分野】
【０００１】
本発明は、例えば、センサ、光源（反射板、点灯装置）などを備え天井などに取り付けられる埋め込み型機器に関する。
【背景技術】
【０００２】
天井などに埋め込まれる埋め込み型機器の機器本体に取付バネを取り付け、取付けバネの復元力によって天井などに機器本体を取り付ける技術がある。
【特許文献１】特開平０９−１３４６１１号公報
【発明の開示】
【発明が解決しようとする課題】
【０００３】
天井に固定する取付バネを機器本体に取り付けてしまうと、取付バネを機器本体から取り外すことができないという課題がある。
本発明は、例えば、機器本体に取り付けられた取付バネを取外し可能とすることを目的とする。また、天井に取付けられる際は取付けバネを機器本体に確実に固定することを目的とする。
【課題を解決するための手段】
【０００４】
本発明にかかる埋め込み型機器は、例えば、取付面に設けられた取付穴に埋め込まれる埋め込み部と、上記取付面に当接し、上記取付バネとの間に上記取付面を挟み込むツバ部と、上記埋め込み部の周囲のバネ設置面に上記取付バネをスライドして取付けるための取付片と、上記取付片に取付けられた取付バネの抜けを係止する本体係止部とを有する本体部と、
上記取付片によって上記本体部に取付けられるバネ固定部と、上記本体係止部と当接してスライドを係止する係止端を有するとともに、弾性変形により上記本体係止部による係止を解除する舌状のバネ係止部とを有する取付バネと備えることを特徴とする。
【発明の効果】
【０００５】
本発明にかかる埋め込み型機器によれば、弾性変形により本体係止部による係止を解除する舌状のバネ係止部を備えるため、機器本体に取り付けられた取付バネを取り外すことができる。
【発明を実施するための最良の形態】
【０００６】
以下図に基づき、本発明の実施の形態について説明する。
【０００７】
実施の形態１．
実施の形態１では、天井等の取付面に設けられた取付穴に埋め込まれて取り付けられる埋め込み型機器１００について説明する。図１は、実施の形態１にかかる埋め込み型機器１００を示す斜視図である。埋め込み型機器１００は、本体部１、取付バネ１０を備える。図２は、実施の形態１にかかる本体部１を示す斜視図である。図３は、実施の形態１にかかる取付バネ１０を示す斜視図である。
【０００８】
まず、本体部１について説明する。図２に示すように、本体部１は、ツバ部２、埋め込み部３を備える。埋め込み部３は、例えば、略円筒形であり、天面部８は塞がれている。一方、埋め込み部３は天面部８の逆側に開口部を有する。埋め込み型機器１００は、例えば、埋め込み部３の内部に、点灯装置、光源などを備える照明器具であったり、照度センサ、人感センサなどを備えるセンサであったり、照明器具の明るさを制御するコントローラなどである。また、埋め込み部３の周囲には、取付バネ１０を取り付ける本体取付部４が設けられている。本体取付部４は、所定の平面を有するバネ設置面５と、バネ設置面５に取付バネ１０をスライドして取付けるための取付片６ａ，６ｂと、取付片６ａ，６ｂに取り付けられた取付バネの抜けを係止するの本体係止部７とが設けられる。取付片６ａ，６ｂは、バネ設置面５に取付バネ１０を取付けるガイド溝を形成した略Ｌ字形であり、ガイド溝を対向させて対を成して設けられる。また、本体取付部４は、埋め込み部３の周囲に少なくとも２箇所設けられる。図１、図２においては、一方の本体取付部４のみが見える状態であり、もう一方は埋め込み部３の周囲の見えない部分に設けられている。
【０００９】
次に、取付バネ１０について説明する。図３に示すように、取付バネ１０は略Ｖ字状に折り曲げられた形状である。取付バネ１０は、バネ取付部１１、バネ部１２、折り曲げ部２１を備える。バネ取付部１１は、取付片６ａ，６ｂによってバネ設置面５に取り付けられ、固定される。バネ部１２は、埋め込み部３とともに取付穴に埋め込まれた場合、取付面に取付穴の内側から当接し、復元力により、取付バネ１０との間に取付面を挟み込む。バネ部１２の端部は天井からの落下を防止するためバネ取付部１１の反対方向（外側方向）へ折り曲げられた落下防止爪１３を形成する。折り曲げ部２１は、バネ取付部１１からバネ部１２へ向かって略Ｖ字状に折り曲げられる。この折り曲げによりバネ部１２にバネ性を持たせ、上記復元力を発揮させる。また、折り曲げ部２１は、バネ取付部１１より狭い幅に形成される。
取付バネ１０は、本体部１の天面部８側からツバ部２方向へ（図１のＡ方向へ）スライドさせて、取付片６ａ，６ｂが形成するガイド溝に取り付ける。そして、本体係止部７により、天面部８方向へ（図１のＢ方向へ）の取付バネ１０の抜けを係止する。
埋め込み部３は、取付面に設けられた取付穴に取付片６ａ，６ｂにスライドして取り付けられた取付バネ１０とともに埋め込まれる。ツバ部２は、埋め込み部３が埋め込み穴に取付バネ１０とともに埋め込まれた場合、取付面に取付穴の外側から当接し、取付バネ１０の復元力により、取付バネ１０との間に取付面を挟み込む。これにより、本体部１は、取付面に固定される。つまり、ツバ部２は、開口部端に配置されており、埋め込み部３の径より長い径で形成されている。また、取付バネ１０は、折り曲げ部２１がツバ部２側近傍の位置となるように取り付けられる。
【００１０】
次に、取付バネ１０の抜け防止構造及び取り外し方法について説明する。図４は、バネ取付部１１を示す正面図である。バネ取付部１１は、バネ係止部１４、バネ固定部１６ａ，１６ｂを備える。バネ係止部１４は、本体係止部７と当接して取付バネ１０の天面部８方向へのスライドを係止する係止端１５を有する。また、バネ係止部１４は、弾性変形により本体係止部７による係止を解除することができる。つまり、バネ係止部１４を所定の角度反らすことにより、係止端１５が本体係止部７に接触しない状態となり、取付バネ１０を天面部８方向へスライドして取り外すことができる。バネ固定部１６ａ，１６ｂは、１対の取付片６ａ，６ｂにより形成されたガイド溝によってバネ設置面５に取付けられる。また、バネ取付部１１は、バネ係止部１４とバネ固定部１６ａ，１６ｂとの間に切欠き１７ａ，１７ｂを有している。そのため、バネ係止部１４は、舌状の形状である。つまり、バネ係止部１４とバネ固定部１６ａ，１６ｂとは全体で、矩形波状、フォーク状、凹凸状である。また、バネ取付部１１は、切欠き１７ａ，１７ｂを有さず、バネ係止部１４だけがバネ固定部１６ａ，１６ｂよりも長く、舌状、凸状、矩形状に伸びていても構わない。
【００１１】
次に、図５に基づき実施の形態１にかかる埋め込み型機器１００の作用について説明する。図５は、図１のＣ−Ｃ’断面図である。また、図５の拡大図は破線で囲まれたＧ部分を示している。本体部１の埋め込み部３と取付バネ１０とが取付面２０ａ，２０ｂに設けられた取付穴に埋め込まれている。上述したように、取付バネ１０の拡大図に示すＦ方向への復元力により、ツバ部２は取付穴の外側から取付面２０ａ，２０ｂの表面と当接し、取付バネ１０は取付穴の内側から取付面２０ａ，２０ｂの裏面と当接して取付面２０ａ，２０ｂを挟さみ、埋め込み型機器１００は取付面２０ａ，２０ｂに取り付けられている。また、拡大図に示すように、取付バネ１０の側面形状は曲面を持った部分があり、取付面２０ａ，２０ｂを挟み込む力を高めている。
取付バネ１０は、本体部１の天面部８方向からスライドされて取り付けられており、そのままでは天面部８方向へはスライド可能であり、バネの復元力等により取付片６ａ，６ｂから抜けてしまう。しかし、本体部１の本体係止部７ａ，７ｂと、取付バネ１０の係止端１５ａ，１５ｂとが当接して天面部８方向へ（図５のＤ方向へ）のスライドを係止する。このため、取付バネ１０が天面部８方向へずれることがなく、ツバ部２と取付バネ１０との間に挟持力が働く。したがって、埋め込み型機器１００は取付面２０ａ，２０ｂに固定される。
【００１２】
次に、本体係止部７とバネ係止部１４との形状について説明する。
図６は、本体部１と取付バネ１０との断面図である。図６の（ａ），（ｂ），（ｃ）はそれぞれ本体係止部７とバネ係止部１４が有する係止端１５との断面形状の一例を示す。まず、（ａ）では、本体係止部７は、本体部１の外側に向かって凸状となるように設けられている。そして、本体係止部７の下端にある係止当接部９と係止端１５とが当接して抜けを防止する。次に、（ｂ）では、本体係止部７は、凹状に設けられている。一方、係止端１５は、凸状に設けられている。本体係止部７と係止端１５とが嵌合することにより、抜けを防止する。次に、（ｃ）では、本体係止部７の係止当接部９は凹状の嵌合部を有する。そして、係止端１５が嵌合部と嵌合する。これにより、（ａ），（ｂ）の場合に比して、バネ係止部１４が外側に反ることを防止でき、抜けを防止する効果が高い。（ｃ）の場合に、取付バネ１０を本体部１から取り外す場合、取付バネ１０を一旦ツバ部２方向へ（図６のＨ方向へ）スライドさせ、係止端１５と嵌合部との嵌合を外す。そして、バネ係止部１４を反らす（図６のＡ方向へ）ことにより、取付バネ１０を本体部１から取り外しできる。
図７は、バネ取付部１１を示す正面図である。図７の（ａ），（ｂ）はそれぞれバネ係止部１４の形状の一例を示す。ここでは、本体係止部７は、図６の（ａ）に示すように凸状であるとする。図７の（ａ）では、バネ係止部１４はずれ防止片１８ａ，１８ｂを有している。ずれ防止片１８ａ，１８ｂは、バネ係止部１４とバネ固定部１６ａ，１６ｂそれぞれとの間の切欠きと、本体係止部７との間に設けられる。これにより、天面部８方向へのずれだけでなく、取付片６ａ，６ｂ方向へのずれも防止することができる。したがって、抜けを防止する効果が高い。（ｂ）では、バネ係止部１４は、空洞を形成する係止孔１９を有する。取付バネ１０は、バネ係止部１４の係止孔１９が形成する空洞に本体係止部７を挿入して取り付けられる。これにより、天面部８方向、ツバ部２方向、取付片６ａ，６ｂ方向のいずれに対してもずれを防止することができる。したがって、抜けを防止する効果が高い。
【００１３】
次に、バネ取付部１１の各部のサイズについて説明する。図８は、バネ取付部１１のサイズを示す図である。図８の（ａ）は、バネ取付部１１の正面図であり、（ｂ），（ｃ）は、本体係止部７の断面図の一例である。また、（ａ）では、バネ取付部１１は、斜線で示す取付片６ａ，６ｂに取り付けられた状態であるとする。取付片６ａ，６ｂの間の距離をＬ１、バネ係止部１４の幅をＬ２、バネ取付部１１のバネ固定部１６ａ，１６ｂの端から端までの幅をＬ３とするとＬ２＜Ｌ１＜Ｌ３である。また、折り曲げ部２１の幅をＬ４とするとＬ４＜Ｌ１である。また、（ｂ）、（ｃ）に示すように、バネ係止部１４の長さをＤ１、本体係止部７の高さ又は深さをＨ１とするとＤ１＞Ｈ１である。つまり、バネ係止部１４は、本体係止部７の高さまたは深さを超えて反らすことが可能であり、また、本体係止部７の高さまたは深さを超えて反らすことが可能な弾性限界を有する。
【００１４】
次に、埋め込み型機器１００の取付方法について説明する。図９は、埋め込み型機器１００の取付方法を示す図である。図９の（ａ）は、埋め込み型機器１００の取付前の状態を示し、（ｂ）は、埋め込み型機器１００が取付面２０ａ，２０ｂに取り付けられる途中段階を示し、（ｃ）は、埋め込み型機器１００が取付面２０ａ，２０ｂに取り付けられた状態を示す。
（ａ）に示すように、取付前の状態では、取付バネ１０は外側に開いた状態である。そして、内側（（ａ）の矢印方向）へ取付バネ１０を押し曲げて、取付面２０ａ，２０ｂに設けられた取付穴に埋め込み部３と取付バネ１０とを挿入する。この状態では、取付バネ１０は、外側（（ｂ）の矢印方向）への復元力を有する。そして、取付穴へ埋め込み部３と取付バネ１０とをツバ部２が取付面２０ａ，２０ｂに当接するまで押し込む。ここで、（ｃ）に示す状態となり、埋め込み型機器１００は、取付バネ１０の復元力により、取付バネ１０とツバ部２とで取付面２０ａ，２０ｂを挟み込み、取付面２０ａ，２０ｂに取付される。
ここで、図９に示す角度α，β，γは、β≦γ≦αである。
【００１５】
つまり、実施の形態１にかかる天井埋め込み型機器１００は、天井の取付け穴に嵌め込み取付けられる埋め込み型機器１００において、
天井に埋め込まれるときに天井面に当接するツバ部と、Ｖ字状に折り曲げられて形成され、折り曲げられた一端の端部に切り込みを入れて形成される係止嵌合部と、折り曲げられた他端は前記天井の取付け穴に嵌合する取付け部と、を有する取付けバネと、前記機器の周端部に配置され、前記取付けバネの前記一端の両端を挟み込むように押さえるとともにスライドさせて取付けられ、前記係止嵌合部と嵌合して前記取付けバネのスライドを規制する係止部とを有する取付け部とを備えることを特徴とする。
【００１６】
また、係止部を凸状または凹状とすることを特徴とする。
【００１７】
実施の形態１にかかる天井埋め込み型機器１００によれば、バネ係止部１４を取付けバネの端部に切り込みを設けて形成しているので、取付バネ１０を取り外すことが可能である。したがって、天井材の厚さに応じて取付バネ１０を容易に交換することができる。また、埋め込み型機器１００を天井などの取付面に取り付けた場合、取付バネ１０の弾性力が働き（作用点）、ツバ部２近傍を支点としてバネ係止部１４に本体部１に力が働く（力点）ので、より係止部との係止力を得ることができる。
【図面の簡単な説明】
【００１８】
【図１】実施の形態１にかかる埋め込み型機器１００を示す斜視図。
【図２】実施の形態１にかかる本体部１を示す斜視図。
【図３】実施の形態１にかかる取付バネ１０を示す斜視図。
【図４】バネ取付部１１を示す正面図。
【図５】実施の形態１にかかる埋め込み型機器１００の作用を示す図。
【図６】本体部１と取付バネ１０との断面図。
【図７】バネ取付部１１を示す正面図。
【図８】バネ取付部１１のサイズを示す図。
【図９】埋め込み型機器１００の取付方法を示す図。
【符号の説明】
【００１９】
１００  埋め込み型機器、１  本体部、２，２ａ，２ｂ  ツバ部、３  埋め込み部、４  本体取付部、５  バネ設置面、６ａ，６ｂ  取付片、７，７ａ，７ｂ  本体係止部、８  天面部、９  係止当接部、１０  取付バネ、１１  バネ取付部、１２  バネ部、１３  落下防止爪、１４  バネ係止部、１５，１５ａ，１５ｂ  係止端、１６ａ，１６ｂ  バネ固定部、１７ａ，１７ｂ  切欠き、１８  ずれ防止片、１９  係止孔、２０ａ，２０ｂ  取付面。
【図１】
0004559992.tif 000002
【図２】
0004559992.tif 000003
【図３】
0004559992.tif 000004
【図４】
0004559992.tif 000005
【図５】
0004559992.tif 000006
【図６】
0004559992.tif 000007
【図７】
0004559992.tif 000008
【図８】
0004559992.tif 000009
【図９】
0004559992.tif 000010